(57)【要約】【課題】種子を所定の間隔をとって点播するとともに、この点播された種子の位置に併せて、その側方に所定の間隔をあけて肥料を点播する点播式施肥播種機を提供する。【解決手段】種子群Ｓを一定間隔をおいて播種する点播式播種機Ａと、肥料群Ｈを一定間隔をおいて施肥する点播式施肥機Ａと、を左右に配置して、点播式施肥播種機Ａ・Ｂを構成し、種子群Ｓの点播位置の近傍であって、肥料による種子に対する影響の出ない位置に、種子群Ｓに隣接して肥料群Ｈを共に点播する構成とした。【選択図】図１
2018134044.tif 000002
【特許請求の範囲】
【請求項１】
種子群を一定間隔をおいて播種する点播式播種機と、肥料群を一定間隔をおいて施肥する点播式施肥機と、を左右に配置して、点播式施肥播種機を構成し、
種子群の点播位置の近傍であって、肥料による種子に対する影響の出ない位置に、種子群に隣接して肥料群を共に点播する構成とした
ことを特徴とする点播式施肥播種機。
【請求項２】
請求項１記載の点播式施肥播種機において、
前記点播式播種機と点播式施肥機のそれぞれに、種子の繰出装置と肥料の繰出装置を設け、
前記種子と肥料の繰出装置の繰出ロールを、非摺動側繰出ロールと摺動側繰出ロールを嵌装させて繰出量を調節可能に構成し、
前記繰出ロールの非摺動側繰出ロールの外周に穿設した仕切り溝内に、弓状の仕切りガイド板が嵌入した状態で、繰出ロールを回転する構成とし、
前記仕切りガイド板により、繰出ロールの種子と肥料の嵌入溝への、種子と肥料の落下を阻止し、
前記仕切りガイド板がなくなった位置から、繰出ロールの嵌入溝の幅全部に、嵌入した種子と肥料の移動を可能とし、この広い溝内に種子と肥料が移動した状態で、種子群と肥料群として点播する構成とした
ことを特徴とする点播式施肥播種機。
【請求項３】
請求項２記載の点播式施肥播種機において、
前記点播式播種機の繰出装置の繰出ロールと前記点播式施肥機の繰出装置の繰出ロールの両方を同時に駆動する構成とした
ことを特徴とする点播式施肥播種機。
【発明の詳細な説明】
【技術分野】
【０００１】
本発明は、圃場に播種と施肥を同時に点播で行う点播式施肥播種機に関する。
【背景技術】
【０００２】
従来、種子、肥料、薬剤等の粉粒体を播くためのロール式の条播式の繰出装置を備えた施肥播種機は、公知とされているのである。例えば、特許文献１、特許文献２の如くである。
【先行技術文献】
【特許文献】
【０００３】
【特許文献１】特開２００７−２０２４６４号公報
【特許文献２】特開２００７−３７４９５号公報
【発明の概要】
【発明が解決しようとする課題】
【０００４】
作物を育てるにあたり、肥料を散布することは、生育の助け、収量増加の観点から、必要な作業である。
従来は、図１８に示すように、点播された種子群Ｓの側部に、連続的に側条施肥として、筋状に肥料筋Ｇが散布されていた。
近年は、肥料の価格の高騰によって、肥料の散布の量を減らすことが要求されている。例えば、圃場への肥料の全面散布から、播種した位置の側部のみに集中的に肥料を散布する側条施肥へと変化、また、土壌表面への散布から、土中への散布へと変化している。
【０００５】
このように、全面散布から側条施肥へ、表面散布から土中散布へと変化しているが、まだまだ肥料の無駄になっている部分が多数存在する。例えば、種子を間隔をあけて播種する点播の場合でも、肥料の方は、点播された種子に沿って、筋状に肥料が側条施肥されるために、点播された種子と種子の間の肥料は、殆どが肥料の効果を発揮することなく無駄になってしまっていた。
そこで、本発明は、種子を所定の間隔をとって点播するとともに、この点播された種子の位置に併せて、その側方に所定の間隔をあけて肥料を点播する点播式施肥播種機を提供することを課題とする。
【課題を解決するための手段】
【０００６】
本発明が解決しようとする課題は以上の如くであり、次に該課題を解決するための手段を説明する。
【０００７】
請求項１においては、種子群を一定間隔をおいて播種する点播式播種機と、肥料群を一定間隔をおいて施肥する点播式施肥機と、を左右に配置して、点播式施肥播種機を構成し、種子群の点播位置の近傍であって、肥料による種子に対する影響の出ない位置に、種子群に隣接して肥料群を共に点播する構成とした点播式施肥播種機である。
【０００８】
請求項２においては、請求項１記載の点播式施肥播種機において、前記点播式播種機と点播式施肥機のそれぞれに、種子の繰出装置と肥料の繰出装置を設け、前記種子と肥料の繰出装置の繰出ロールを、非摺動側繰出ロールと摺動側繰出ロールを嵌装させて繰出量を調節可能に構成し、前記繰出ロールの非摺動側繰出ロールの外周に穿設した仕切り溝内に、弓状の仕切りガイド板が嵌入した状態で、繰出ロールを回転する構成とし、前記仕切りガイド板により、繰出ロールの種子と肥料の嵌入溝への、種子と肥料の落下を阻止し、前記仕切りガイド板がなくなった位置から、繰出ロールの嵌入溝の幅全部に、嵌入した種子と肥料の移動を可能とし、この広い溝内に種子と肥料が移動した状態で、種子群と肥料群として点播する構成としたものである。
【０００９】
請求項３においては、請求項２記載の点播式施肥播種機において、前記点播式播種機の繰出装置の繰出ロールと前記点播式施肥機の繰出装置の繰出ロールの両方を同時に駆動する構成としたものである。
【発明の効果】
【００１０】
本発明の効果として、以下の示すような効果を奏する。
【００１１】
請求項１の如く構成したので、種子を点播した種子群の横に、肥料も点播により、間隔をあけて狭い箇所に施肥することができる。よって、従来の側条施肥のように、種子の点播位置に平行して、肥料を筋状に施肥しないので、肥料を無駄に散布することがなくなった。
【００１２】
請求項２の如く構成したので、仕切りガイド板にて繰出ロールの嵌入溝を仕切ることによって、繰出ロールの嵌入溝の容量を制限し、点播する前に容量制限を解除して落下させることができ、一気に種子、肥料が落下して、条になることがなく、点となって播種、施肥が可能となった。
【００１３】
請求項３の如く構成したので、点播する種子と点播する肥料が同時に落下し、点播した種子の側方に確実に肥料を点播することが可能となった。
【図面の簡単な説明】
【００１４】
【図１】点播式施肥播種機におけるスライドロール式繰出装置の斜視図。
【図２】スライドロール式繰出装置のロール軸側駆動ギヤ側の側面図。
【図３】同じく繰出量調節ギヤ側の側面図。
【図４】同じく平面図。
【図５】点播式施肥播種機におけるスライドロール式繰出装置の平面図。
【図６】同じく底面図。
【図７】同じく正面図。
【図８】同じく繰出量調節部を外した状態の平面図。
【図９】繰出部ケースの側面断面図。
【図１０】繰出量調節部の断面図。
【図１１】入口部カプセルの側面図。
【図１２】同じく平面図。
【図１３】同じく背面図。
【図１４】繰出ロールと仕切りガイド板の部分を示す後方斜視図。
【図１５】同じく前方斜視図。
【図１６】繰出ロールにおいて種子または肥料が分散する状態を示す図。
【図１７】種子群の点播位置と肥料群の点播位置を示す図。
【図１８】従来の種子の点播位置と肥料の側条施肥位置を示す図。
【発明を実施するための形態】
【００１５】
粉粒体の繰出装置において、特に求められる性能は、繰出量の精度と繰出物の形状の確保、即ち、割れ、潰れ、コーティング材の剥離がない状態の点である。また、作業によっては、点播するために間欠的に繰り出す精度も必要となる。しかしながら、繰出量が一定であるかどうかの精度である繰出精度と、繰出物を間欠的に、一定の距離をあけて繰り出す精度である点播精度と、繰出物の最初の形状を痛めたり変形させたりしない形状確保精度が求められるが、これらの精度は、一方を求め過ぎると、他方に影響が出る可能性が高い相反する項目である。
【００１６】
点播精度を向上させるためには、ロールから放出される直前までガイドによって繰出物を保持する方法がよく用いられる。しかしながら、繰出物がロール溝とガイドによって、長い距離と時間を挟まれた状態が続くために、繰出量が多い場合には繰出物が割れてしまい、コーティング材が被覆されている場合は、コーティング材の剥離が多く発生してしまう。
【００１７】
繰出精度である繰出物の粒数の精度を向上させるためには、ブラシ等でロール溝部から溢れている繰出物をすりきる方法が用いられる。この場合にも、溢れている部分をすりきることで、繰出物の割れや剥離が発生し、また、すりきる側のブラシ等にも磨耗が発生するため、部品交換等の手間、費用が必要となってくる。また、繰出物には様々な繰出対象物が存在し、その粒径は異なる。状況によって繰出量も異なるため、ロール溝の大きさである開度は変更可能とする必要があるが、条数が多くなると、繰出量の調整をするための時間及び労力が必要となる。
【００１８】
このため、全条の開度を一度に調整する機構が搭載されているロール式播種機も存在するが、部品精度による固体差もあるため、個々に調整が可能な機構もまた必要である。また、繰出物によって播種の条間隔が異なるために、繰出部全体を移動可能とする条間調節機構を具備する必要がある。また、水稲の籾の湛水直播のような専用機では全条開度調節機構や条止め機構を用いているが、条間が固定されていて条間調節が不可能である。
【００１９】
図１において、スライドロール式繰出装置を左右に並べて配置し、進行方向の右側を点播式播種機Ａとし、左側を点播式施肥機Ｂとした、点播式施肥播種機Ａ・Ｂの構成を説明する。なお、図面において、前後方向（Ｆ・Ｂ）、左右方向（Ｌ・Ｒ）、上下方向（Ｕ・Ｄ）については、図１にその方向を明記した。点播式播種機Ａと点播式施肥機Ｂの左右位置はこれに限定されるものではない。
【００２０】
スライドロール式繰出装置を左右に並置した、点播式施肥播種機Ａ・Ｂは、全体構成として図１の如く構成されており、スライドロール式繰出装置から繰り出された繰出物である種子または肥料は、播種または散布される圃場やその他の場所等の播種位置または散布位置に案内される。また、スライドロール式繰出装置の上方には、繰出物である種子や肥料等の粉粒体が投入されるホッパー（図示せず）が載置して固定される。
【００２１】
このように、上部に種子や肥料を投入するホッパーを載置固定された状態で、スライドロール式繰出装置の全体を構成する繰出部ケース２・５２の前部にトラクタ等の作業車両への取付部が構成されて、条数に合わせて一または複数の点播式施肥播種機Ａ・Ｂが作業車両の作業機装着装置の取付杆等に固定される。
【００２２】
この作業機装着装置の取付杆への取付位置を調整することにより条間調節が行われ、種子や肥料等の対象物の変更された場合は、条間の変更が必要であり、この取付杆への取付位置の変更で条間調節が行われる。
【００２３】
点播式施肥播種機Ａ・Ｂは、左右対称のスライドロール式繰出装置を、一方は点播式播種機Ａとし、他方は点播式施肥機Ｂとし、全体の構造は、左右対称形に点播式播種機Ａと点播式施肥機Ｂを併設した構成としている。
【００２４】
点播式播種機Ａは、播種機用の非摺動側繰出ロール９、摺動側繰出ロール１０、仕切りガイド板１８、ロール駆動軸８等を、繰出部ケース２の内部に配置して構成している。点播式播種機Ａの外部から見える部品としては、入口部カプセル１や、カプセル固定体３等があり、点播式播種機Ａは、繰出駆動軸５により駆動する構成としている。
【００２５】
同様に、点播式施肥機Ｂは、施肥機用の非摺動側繰出ロール５９、摺動側繰出ロール６１、仕切りガイド板６８、ロール駆動軸５８等を、繰出部ケース５２の内部に配置して構成している。外部から見える点播式施肥機Ｂとしては、入口部カプセル５１や、カプセル固定体５３等があり、点播式施肥機Ｂは、繰出駆動軸５５により駆動すべく構成されている。点播式播種機Ａと点播式施肥機Ｂとの左右の位置は、実施例にこだわるものではなく、左右を入れ替えてもよい。点播式播種機Ａと点播式施肥機Ｂとを、更に複数組を連接した構成とすることもできる。また、種子に対する肥料焼けの発生を防ぐべく、左右に配置した点播式播種機Ａと点播式施肥機Ｂの間隔を調整可能としている。
【００２６】
次に、スライドロール式繰出装置の内部構造について説明する。点播式播種機Ａと点播式施肥機Ｂとは左右対称形であるので、点播式播種機Ａにおいて説明する。図２、図３、図４において、点播式播種機Ａを構成するスライドロール式繰出装置の全体を支持する部材として、直方体形状の繰出部ケース２が配置構成されている。該繰出部ケース２は、樹脂の一体成形等により構成されて、上下と左右に種々の部品を挿入したり、固定したりするための開口部が構成されている。
【００２７】
前記繰出部ケース２の左右の側面には、内部に配置する非摺動側繰出ロール９や摺動側繰出ロール１０やロール駆動軸８等を挿入可能な開口部が構成されており、左側面においては、該開口部を閉鎖する開口部閉鎖板１１が用意されており、該開口部閉鎖板１１にロール駆動軸８の支持部が構成されている。該ロール駆動軸８には、ロール軸側駆動ギヤ１２が固定されている。また、繰出部ケース２の右側の開口部は螺子軸１７を支持する螺子軸取付板３２により閉塞すべく構成している。
【００２８】
前記ロール軸側駆動ギヤ１２と噛合する繰出駆動軸側ギヤ１３が、繰出部ケース２により軸受支持された条止めクラッチ６の固定側係合爪６ａと一体化された筒軸３３に固設されて、前記繰出部ケース２の左側に配置されている。前記繰出駆動軸側ギヤ１３とロール軸側駆動ギヤ１２が噛合して、該繰出駆動軸５の駆動力を非摺動側繰出ロール９や摺動側繰出ロール１０に伝達する構成となっている。また、前記点播式播種機の条止めクラッチ６は、点播式施肥機においては、条止めクラッチ５６と固定側係合爪５６ａと、摺動側係合爪５６ｂとクラッチ付勢バネ５６ｃとして同等の位置に設けられている。
【００２９】
図１０に示すように、点播式播種機Ａの非摺動側繰出ロール９のロール溝部９ａに対して、摺動側繰出ロール１０の突起部１０ａを係合嵌装された状態で摺動することにより、繰出量を調節するスライドロール式繰出装置が構成されている。前記摺動側繰出ロール１０は、繰出部ケース２の外部に位置する繰出量調節ギヤ１５の左右への摺動により、繰出量の調節のために摺動すべく、連結された構成となっている。
【００３０】
前記繰出量調節ギヤ１５は、繰出部ケース２の一部に軸支され、繰出量調節共通軸に係合嵌入された繰出量調整駆動軸２１（図２に図示）に摺動可能に固定された、繰出量調節駆動ギヤ１６と噛合している。そして噛合した状態で回転しながら、繰出量調節ギヤ１５は繰出量調節駆動ギヤ１６に対して左右に移動可能に構成されているのである。該繰出量調節駆動ギヤ１６の回転により、繰出量調節ギヤ１５と摺動側繰出ロール１０が共に左右方向に摺動すべく構成されている。
【００３１】
前記繰出量調節ギヤ１５は繰出量調節駆動ギヤ１６と噛合している。該繰出量調節駆動ギヤ１６は、繰出部ケース２の一部に軸支された連結駆動軸１４に外嵌されている。該連結駆動軸１４の内部には、複数のスライドロール式繰出装置にわたって配置されている長い繰出量調整駆動軸２１が嵌入係合されて、該繰出量調整駆動軸２１の上で連結駆動軸１４が係合状態で摺動可能に構成されている。また、点播式施肥機Ｂにおいても、前記繰出量調節ギヤ６５、繰出量調節駆動ギヤ６６として同様に構成されている。
【００３２】
図７に示すように、前記連結駆動軸１４と繰出量調節駆動ギヤ１６の結合部において、繰出量調節駆動ギヤ１６と連結駆動軸１４は、その係合部を手動で脱着可能に構成しており、該連結駆動軸１４と繰出量調節駆動ギヤ１６との係合状態を外した後に、繰出量調節駆動ギヤ１６または繰出量調節ギヤ１５を手動で回転することにより、スライドロール式繰出装置の繰出量を個別に調整することができる。これにより、複数のスライドロール式繰出装置の間の、繰出量のバラツキを修正することができるように構成している。
【００３３】
前記繰出量調節駆動ギヤ１６のバネ嵌装孔１６ｃの内部には、常時付勢バネ１６ｂが嵌装されており、該常時付勢バネ１６ｂが、繰出量調節駆動ギヤ１６の六角形等の係合孔部１６ａを、連結駆動軸１４に設けた六角形等の係合突部１４ａに向けて押圧している。故に、常時は係合孔部１６ａと係合突部１４ａとは、常時付勢バネ１６ｂにより押圧されて係合状態で、繰出量調整駆動軸２１と連結駆動軸１４と繰出量調節駆動ギヤ１６が一体的に回動するが、オペレータが繰出量調節駆動ギヤ１６を、外方向に常時付勢バネ１６ｂに抗して引っ張ることにより、係合孔部１６ａと係合突部１４ａとの係合が解除されて、繰出量調節駆動ギヤ１６と繰出量調節ギヤ１５が手動で回転可能となる。これにより、繰出量を各個毎に微調整して、複数のスライドロール式繰出装置の繰出量を合わせることできる。
【００３４】
また、前記繰出量調節ギヤ１５は、繰出部ケース２側に固定された螺子軸１７の外周の雄螺子部１７ａ部分に螺装された状態で支持されており、繰出量調節駆動ギヤ１６との噛合により、繰出量調節ギヤ１５が回転し、該繰出量調節ギヤ１５と遊嵌されている摺動側繰出ロール１０が左右に摺動する。即ち、該繰出量調節ギヤ１５が繰出部ケース２と一体化された螺子軸１７の雄螺子部１７ａの周囲で、雌螺子部１５ａで螺子結合された状態で回転して、回転方向により左または右への螺子送りが行われる。この螺子送りにより、繰出量調節ギヤ１５の外周に遊嵌状態で係合された摺動側繰出ロール１０が左右へ移動し、非摺動側繰出ロール９のロール溝部９ａ内に嵌入した摺動側繰出ロール１０の突起部１０ａが、非摺動側繰出ロール９の溝部９ａとの間の距離を変更することとなり、繰出量の調整が行われるのである。
【００３５】
また、スライドロール式繰出装置の繰出量調節機構において、前記繰出量調節駆動ギヤ１６は、繰出量調節ギヤ１５の繰出量調整のための左右移動に関わらず噛合状態を維持するように、通常とは相違する広幅のギヤに構成されている。該広幅は、摺動側繰出ロール１０の突起部１０ａと、非摺動側繰出ロール９の溝部９ａとの間で、繰出量が調節されるために必要な距離が、幅として幅広に構成されている。
【００３６】
また、前記スライドロール式繰出装置の繰出量調節機構においては、前記繰出部ケース２に軸受支持される繰出量調節駆動ギヤ１６の軸心を支持する軸受支持開口２ｂ（図９に図示）は、非摺動側繰出ロール９を駆動するための繰出駆動軸５の軸受支持位置である軸受支持開口２ａ（図９に図示）に対して偏心されている。また、スライドロール式繰出装置の繰出量調節機構においては、非摺動側繰出ロール９と摺動側繰出ロール１０により構成したスライドロール部分の、繰出部ケース２への組み付けは、繰出部ケース２の側面に開口した孔より挿入後に、該孔を閉塞して挟み構造として構成している。
【００３７】
即ち、繰出部ケース２の右側面において開口が設けられており、該開口は螺子軸取付板３２により閉塞すべく構成している。螺子軸取付板３２は、上下の位置に脱着部２２・２３を具備しており、螺子軸１７の外端部分の係止部１７ｃ・１７ｄに係合固定すべく構成している。該脱着部２２・２３の部分を繰出部ケース２から突出したワンタッチ係止具３４・３５で締結固定している。
【００３８】
そして、繰出部ケース２から突出されたワンタッチ係止具３４・３５により、脱着部２２・２３と係止部１７ｃ・１７ｄを介して、螺子軸１７と螺子軸取付板３２が繰出部ケース２に固定されるように構成されている。このようにして、繰出量調節部４が繰出部ケース２の右側側面に組立固定されるのである。この構成において、繰出部ケース２と一体的に構成した螺子軸１７が、繰出部ケース２の内部に突出されて、繰出部ケース２の逆の側から挿入されて回転するロール駆動軸８の軸心と一致されて配置されており、外嵌合されている。
【００３９】
前記螺子軸１７の外周に雄螺子部１７ａが穿設されており、前記繰出量調節ギヤ１５の内側に設けられた雌螺子部１５ａと螺子嵌合した状態で螺装されている。この構成により左右が移動不可能な螺子軸１７に対して、左右に摺動可能に繰出部ケース２に対して支持されている繰出量調節ギヤ１５が左右に螺子のピッチ分だけ移動するのである。該繰出量調節ギヤ１５に対して遊嵌状態でかつ左右を係止された摺動側繰出ロール１０が、繰出量調節ギヤ１５の螺子軸１７に対する摺動とともに、非摺動側繰出ロール９に対して左右に移動可能に構成されている。
【００４０】
前記繰出量調節ギヤ１５の回転は、繰出量調整駆動軸２１からの繰出量調節のための回転であるが、摺動側繰出ロール１０は、繰出駆動軸５に係合支持されている非摺動側繰出ロール９の回転とともに、繰出量調整のための非摺動側繰出ロール９の溝部９ａと、摺動側繰出ロール１０の繰出量調整のための突起部１０ａとが係合されていることにより、ロール駆動軸８の回転が非摺動側繰出ロール９を介して、摺動側繰出ロール１０の回転として伝達されている。
【００４１】
繰出量調節のための螺子軸１７は、繰出部ケース２の内部に挿入された部分とともに、繰出部ケース２の外部に固定されるための部分が構成されている。即ち、該螺子軸１７の雄螺子部１７ａは、繰出部ケース２の内部に突出された位置で固定される必要があり、該螺子軸１７の左端は、繰出部ケース２の左側から挿入される繰出駆動軸５の先端に遊嵌されている。そして、該螺子軸１７を該位置に固定するために、螺子軸１７の右側は、繰出部ケース２の外側へ、繰出量調節ギヤ１５を越えて突出されており、該部分は、繰出部ケース２の外部に固定されるために、上下の係止部１７ｃ・１７ｄを具備している。
【００４２】
そして、前記係止部１７ｃ・１７ｄの部分の係止状態を解除することにより、該螺子軸１７は、繰出部ケース２から外すことができる。前記繰出部ケース２からは、該係止部１７ｃ・１７ｄの部分において、螺子軸１７を脱着可能な脱着部２２・２３が突設されている。該脱着部２２・２３は、ワンタッチ式の脱着部２２・２３により構成されており、該螺子軸１７を繰出部ケース２から簡単に脱着することにより、繰出量調節部４の清掃やメンテナンスが簡単に可能となっている。また、点播式施肥機Ｂの繰出量調節部５４についても左右対称形で同様の構成としている。
【００４３】
前記点播式播種機Ａの繰出部ケース２の上部には、ホッパーを載置して、ポッパーと連通される入り口側開口部３７（図８に図示）が開口されており、該入り口側開口部３７内には、入口部カプセル１が嵌装して固定すべく構成されている。点播式施肥機Ｂにおいては、入り口側開口部３７と同様に、点播式施肥機Ｂの入り口側開口部７７が開口されている。入り口側開口部３７に入口部カプセル１を嵌装した状態で、上方からカプセル固定体３を載置してボルトやビスで繰出部ケース２に固定し、カプセル固定体３の上面にホッパーの下部が載置されて留め金で固定可能とされている。入口部カプセル１の底面には、残量取出開口１ｃが、繰出部ケース２の入口部カプセル１を挿入した部分の底面には、前記残量取出開口１ｃと重複するように、同じく残量取出開口２ｃが設けられている。残量取出開口１ｃと残量取出開口２ｃは、点播式播種機Ａの開口であるが、点播式施肥機Ｂにおいても、残量取出開口５１ｃと残量取出開口５２ｃが設けられている。
【００４４】
前記残量取出開口１ｃと残量取出開口２ｃには、通常は蓋体が被覆されているが、繰出物を交換する場合等において、スライドロール式繰出装置の内部に残っている繰出物を全部取り出す必要のあるときには、蓋体を外して、内部に残っている繰出物を取り出すことができるように構成されている。前記繰出部ケース２とカプセル固定体３の部分が配置された、繰出部ケース２の前部には、繰出駆動軸５の支持部分が上方を開口した空間として構成されており、繰出駆動軸５の上に、条止めクラッチ６と条止めクラッチ操作部７が配置されている。
【００４５】
条止めクラッチ６は、繰出駆動軸５の上に配置されており、固定側係合爪６ａと、摺動側係合爪６ｂとクラッチ付勢バネ６ｃと、条止めクラッチ操作部７と、係脱爪７ａ等により構成されている。筒軸により構成した繰出駆動軸５の外周には、摺動側係合爪６ｂが係合しており、固定側係合爪６ａは、筒軸３３を介して繰出駆動軸側ギヤ１３と一体化されている。通常は繰出駆動軸側ギヤ１３とは一体的に回転するが、繰出駆動軸５に対してはフリーとなるように遊嵌されている。点播式播種機Ａの繰出駆動軸５と条止めクラッチ６の構成については、点播式施肥機Ｂの繰出駆動軸５５と条止めクラッチ５６の構成として同様に配置されている。
【００４６】
点播式播種機Ａの条止めクラッチ操作部７の操作摘まみ７ｂを回転することにより、クラッチ付勢バネ６ｃの付勢力により、摺動側係合爪６ｂと固定側係合爪６ａが係合状態を維持すべく押圧された状態となる。該条止めクラッチ６の入りの状態が維持されるように、係脱爪７ａが構成されている。操作摘まみ７ｂを係合側に操作すると、この係脱爪７ａがロック状態となり、条止めクラッチ６の外れを防止する。操作摘まみ７ｂを解除側に操作すると、係脱爪７ａのロック状態が解除され、条止めクラッチ６の離脱状態が維持されて、動力が伝達されない構成としている。
【００４７】
また、点播式施肥機Ｂの条止めクラッチ操作部５７の操作摘まみ５７ｂを回転することにより、クラッチ付勢バネ５６ｃの付勢力により、摺動側係合爪５６ｂと固定側係合爪５６ａが係合状態を維持すべく押圧された状態となる。該条止めクラッチ５６の入りの状態が維持されるように、係脱爪５７ａが構成されている。操作摘まみ５７ｂを係合側に操作すると、この係脱爪５７ａがロック状態となり、条止めクラッチ５６の外れを防止する。操作摘まみ５７ｂを解除側に操作すると、係脱爪５７ａのロック状態が解除され、条止めクラッチ５６の離脱状態が維持されて、動力が伝達されないように構成としている。
【００４８】
前記点播式播種機Ａの条止めクラッチ６と条止めクラッチ操作部７を支持する繰出駆動軸５は、繰出部ケース２の側面に開口された穿設孔に側方から挿入されて、該繰出駆動軸５が繰出部ケース２の上方開口部に配置されている部分に条止めクラッチ６が配置されている。条止めクラッチ操作部７の部分は、該繰出部ケース２の右側面から突出した繰出駆動軸５の上に構成されているので、繰出駆動軸５の支持状態で、上方にホッパー等が載置して固定された後でも、繰出部ケース２の外側から条止めクラッチ操作部７は操作が可能となっている。点播式施肥機Ｂも同様の構成としている。
【００４９】
前記繰出部ケース２の右側面には、繰出量調節部４が構成されている。該繰出量調節部４は、螺子軸１７に螺子支持された繰出量調節ギヤ１５と繰出量調節駆動ギヤ１６とから構成されている。該繰出量調節部４については前述している。
【００５０】
前記繰出部ケース２の側面には、繰出駆動軸５の下方に、繰出量調節部４を駆動するための繰出量調節駆動ギヤ１６の連結駆動軸１４が支持されてる開口部も設けられている。連結駆動軸１４は、内部に六角孔が開口されており、この内部に左右の複数のスライドロール式繰出装置の間に共通して嵌装される繰出量調整駆動軸２１が挿入されて、複数の繰出量調節部４を同時に調節可能とし、該繰出量調整駆動軸２１の上で、繰出量調節駆動ギヤ１６の連結駆動軸１４が左右にスライドして、条間調節におけるスライドロール式繰出装置の左右移動を許容すべく構成している。
【００５１】
次に、図１４から図１６において、繰出機構について説明する。スライドロール式繰出装置においては、スライドロール式繰出装置の繰出機構を汲み上げ式にすることで、ロール溝部９ａに入り切れない繰出物は自重で落下し、無駄に多量の繰出物が溝に入らないように構成しているのである。スライドロール９・１０の上方まで繰出物が入るとロールブラシ２５が存在するためロール溝部９ａより多く入った繰出物はすりきられる。これにより、粒数精度が向上する。汲み上げ方式により多量にロール溝部９ａに入らないので、上方のロールブラシ２５ですりきる量が減少し、繰出物の割れ、コーティング材の剥離が軽減されるのである。また、ロールブラシ２５の磨耗も抑えることが可能である。
【００５２】
次に、スライドロール９・１０の上方に繰出物が位置した後は、仕切りガイド板１８により構成された遮蔽板がなくなり、ロール溝部９ａの長手方向の溝幅がすべて開放されて広くなるのである。これにより、仕切りガイド板１８によって制限されたロール溝部９ａの空間に嵌入されていた繰出物が、仕切りガイド板１８がなくなったことにより広がった（開放された）空間の方へ移動し、ロール溝部９ａ内での余裕が生まれる。前記ロールブラシ２５の後に（前側に）設けられている外周ガイド２６の部分を通過する場合にも、外周ガイド２６との間に余裕がうまれ、割れ、コーティング剥離の軽減に繋がる。
【００５３】
また、進行方向に対して垂直方向に構成されたロール溝部９ａに繰出物が配置されるため、圃場への着地形状、即ち進行方向の長さが通常よりも短くなり、点播精度の向上が図れる。前記外周ガイド２６は、上方の枢支部２６ａで枢支されており、下方を回動側として回動が可能となっている。前記外周ガイド２６により繰出物を放出地点まで保持することで、繰出物を一塊で圃場へ放出させることができるので、点播精度の向上に繋がる。外周ガイド２６は固定ではなく、揺動可能とすることで摩擦で生まれる繰出物の割れやコーティング材の剥離を軽減することができる。
【００５４】
非摺動側繰出ロール９のロール溝部９ａの途中部に、仕切りガイド板１８が嵌入する遮蔽板嵌入溝９ｂを設けて、遮蔽板嵌入溝９ｂに仕切りガイド板１８が嵌入した状態でロールが回転することにより、入口部カプセル１の部分における繰出部の容量を制限したものである。
【００５５】
前記非摺動側繰出ロール９には、内部にロール駆動軸８が係合状態で嵌装される駆動軸孔９ｃが穿設されている。即ち、ロール溝部９ａを遮蔽板嵌入溝９ｂにより分離し、その隙間に仕切りガイド板１８を嵌入させる。ただし、仕切りガイド板１８はロール回転方向に対して、後方側約半分（全周のうちの約１／４）にのみ配置しており、その他の部分にまでは延設されていない。遮蔽板が存在する範囲のロール溝部９ａは、全溝幅の内、半分が仕切りガイド板１８により規制されて、繰出物の移動が不可能とされている。
【００５６】
前記スライドロール９・１０における非摺動側繰出ロール９のロール溝部９ａと摺動側繰出ロール１０の突起部１０ａとが互いに噛み合った、繰出物の嵌入部分の上方には、ロールブラシ２５を配置している。該ロールブラシ２５は固定されておらず、上方からバネにより付勢されており、上下動することが可能な構造としている。また、ロールブラシ２５よりもスライドロール９・１０の回転方向前方には、仕切りガイド板１８は存在していないので、仕切りガイド板１８が遮蔽板嵌入溝９ｂ内になくなって、左右に広くなったロール溝部９ａ内に、繰出物が広がって行くことができる。
【００５７】
前記外周ガイド２６は、鉄または樹脂、スポンジ、ニューライトシール等で構成されており、非摺動側繰出ロール９のロール溝部９ａと摺動側繰出ロール１０の突起部１０ａが噛み合った部分の外周に配置している。入口部カプセル１の上方に配置したホッパーからの、繰出物の供給位置は、非摺動側繰出ロール９の上方ではなく、非摺動側繰出ロール９と摺動側繰出ロール１０の回転する外周の横若しくは斜め位置からとし、繰出物はロール溝部９ａに汲み上げられるような状態となるように構成されている。そして、該汲み上げ状態の、繰出物の量が、仕切りガイド板１８の終端部であって、ロールブラシ２５の始端部に至る前の位置にできる、滞留空間２７に、一定以上が入り込まないように、シャッター板１９が入口部カプセル１に締結具１９ａにより取付られている。
【００５８】
前記入口部カプセル１の構造は、繰出部ケース２と上方のホッパーとの間の空間に、入口部カプセル１を嵌装可能に構成している。入口部カプセル１は、前述したシャッター板１９を取り付ける部分と、非摺動側繰出ロール９に穿設した遮蔽板嵌入溝９ｂに嵌入する仕切りガイド板１８を取り付ける部分が構成されており、仕切りガイド板１８により、ホッパーから入口部カプセル１内を通過して、シャッター板１９の下を通過し、滞留空間２７に入るような、繰出物を左側の入口部カプセル１の内側面から、中央位置に移動案内する制限ガイド突起２０が設けられている。
【００５９】
前記制限ガイド突起２０は、入口部カプセル１と一体的に構成されている。更に、該入口部カプセル１は、前述の如く仕切りガイド板１８と、シャッター板１９とをボルト等の締結具により固定可能な締結部を具備しており、繰出部ケース２の内部に、仕切りガイド板１８やシャッター板１９を取り付けたり、制限ガイド突起２０を繰出部ケース２と一体的に成形する場合に、組み立てやメンテナンスの容易さを得るために、繰出部ケース２の内部に嵌装可能な別体として構成しているのである。
【００６０】
前記繰出部ケース２のホッパーとの間の空間に、入口部カプセル１を嵌装した状態で、上方から、入口部カプセル１の抜け出しを阻止するカプセル固定体３が設けられている。該カプセル固定体３に、ホッパーの下部が固定されるように構成されている。また、点播式施肥機Ｂにおいても同様に、入口部カプセル５１、繰出部ケース５２、仕切りガイド板５８、シャッター板５９、制限ガイド突起６０等が構成されている。
【００６１】
図１１から図１３においては、点播式播種機Ａの入口部カプセル１の全体的な構成を図示している。点播式施肥機Ｂについても左右対称形で同様の構成としている。即ち、入口部カプセル１は全体として見た場合に直方体の上方が開口された形状としており、繰出部ケース２の上部において、カプセル固定体３で閉鎖する空間部分に落とし込んだ状態で、入り口部を該カプセル固定体３により閉鎖して固定する構成としている。入口部カプセル１の外形と、繰出部ケース２の内径とは、平面視で長方形に構成してガタの発生しない程度の嵌入状態に構成している。繰出部ケース２の内部に入口部カプセル１を挿入しただけで、入口部カプセル１に設けた制限ガイド突起２０や、仕切りガイド板１８や、シャッター板１９は、所定の距離と間隔を具備した状態で固定されるのである。
【００６２】
前記入口部カプセル１には、仕切りガイド板１８を締結具１８ａにより固定可能とするための、遮蔽板取付部３０が設けられている。遮蔽板取付部３０は、入口部カプセル１の左右幅の略中央の近辺において、入口部カプセル１の底面３８と、スライドロール９・１０の外周が出会う位置から構成されて、ロールブラシ２５の手前の位置まで延設されている。仕切りガイド板１８は、円弧状の長板に構成されており、スライドロール９・１０の外周に沿った形状で、前記遮蔽板嵌入溝９ｂに嵌入する厚さとされている。
【００６３】
また、遮蔽板取付部３０は、シャッター板１９を取り付けるシャッター板取付部２９から前方に突設されている。該シャッター板取付部２９は、仕切りガイド板１８の始端部よりも前部であって、前記滞留空間２７の前に立設されている。即ち、スライドロール９・１０の回転方向に対して直交する方向に立設されて、滞留空間２７への繰出物の流れ込みを阻止している。シャッター板取付部２９の前面に、前記遮蔽板取付部３０の基部が固設されて、遮蔽板取付部３０が前方へ突出され、遮蔽板取付部３０の下部に仕切りガイド板１８が締結具１８ａにより固定されている。
【００６４】
そして、種子群Ｓを一定間隔をおいて播種する点播式播種機Ａと、肥料群Ｈを一定間隔をおいて施肥する点播式施肥機Ｂと、を左右に配置して、点播式施肥播種機Ａ・Ｂを構成し、種子群Ｓの点播位置の近傍であって、肥料による種子に対する影響の出ない位置に、種子群Ｓに隣接して肥料群Ｈを共に点播する構成としている。このように構成したことによって、種子を点播した種子群Ｓの横に、肥料も肥料群Ｈとして点播により間隔をあけて狭い箇所に施肥することができ、従来の側条施肥のように、種子の点播位置に平行して、肥料を筋状に施肥しないので、肥料を無駄に散布することがなくなる。
【００６５】
また、前記点播式播種機Ａと点播式施肥機Ｂのそれぞれに、種子のスライドロール式繰出装置と肥料のスライドロール式繰出装置を設け、前記種子と肥料のスライドロール式繰出装置のスライドロール９・１０を、非摺動側繰出ロール９と摺動側繰出ロール１０を嵌装させて繰出量を調節可能に構成し、前記非摺動側繰出ロール９の外周に穿設した仕切り溝である遮蔽板嵌入溝９ｂ内に、弓状の仕切りガイド板１８が嵌入した状態で、スライドロール９・１０を回転する構成とし、前記仕切りガイド板１８により、種子と肥料の嵌入溝であるロール溝部９ａへの、種子と肥料の落下を阻止し、前記仕切りガイド板１８がなくなった位置から、前記ロール溝部９ａの幅全部に、嵌入した種子と肥料の移動を可能とし、この広い溝内に種子と肥料が移動した状態で、種子群Ｓと肥料群Ｈとして点播する構成としている。このように構成したことによって、仕切りガイド板１８にてロール溝部９ａを仕切り、ロール溝部９ａの容量を制限し、点播する前に容量制限を解除して落下させることができ、一気に種子、肥料が落下して、条になることがなく、点となって播種、施肥ができる。
【００６６】
また、前記点播式播種機Ａのスライドロール式繰出装置と前記点播式施肥機Ｂのスライドロール式繰出装置の両方を同時に駆動する構成としている。このように構成したことによって、点播する種子と点播する肥料が同時に落下し、図１７に示すように、点播した種子群Ｓの側方に確実に肥料群Ｈを点播することができる。
【符号の説明】
【００６７】
Ａ  点播式播種機
Ｂ  点播式施肥機
Ｓ  種子群
Ｈ  肥料群
Ｇ  肥料筋
１  点播式播種機の入口部カプセル
２  点播式播種機の繰出部ケース
２ａ  軸受支持開口
２ｂ  軸受支持開口
２ｃ  残量取出開口
３  点播式播種機のカプセル固定体
４  繰出量調節部
５  点播式播種機の繰出駆動軸
６  点播式播種機の条止めクラッチ
７  条止めクラッチ操作部
８  ロール駆動軸
９  非摺動側繰出ロール
９ａ  ロール溝部
９ｂ  遮蔽板嵌入溝
９ｃ  駆動軸孔
１０  摺動側繰出ロール
１０ａ  突起部
１１  開口部閉鎖板
１２  ロール軸側駆動ギヤ
１３  繰出駆動軸側ギヤ
１４  連結駆動軸
１４ａ  係合突部
１５  点播式播種機の繰出量調節ギヤ
１６  繰出量調節駆動ギヤ
１６ａ  係合孔部
１６ｂ  常時付勢バネ
１６ｃ  バネ嵌装孔
１７  螺子軸
１７ａ  雄螺子部
１７ｃ・１７ｄ  係止部
１８  仕切りガイド板
１８ａ  締結具
１９  シャッター板
１９ａ  締結具
２０  制限ガイド突起
２１  繰出量調整駆動軸
２２・２３  脱着部
２５  ロールブラシ
２６  外周ガイド
２７  滞留空間
３８  底面
２９  シャッター板取付部
３０  遮蔽板取付部
３２  螺子軸取付板
３３  筒軸
３４・３５  ワンタッチ係止具
３７  点播式播種機の入り口側開口部
５１  点播式施肥機の入口部カプセル
５２  点播式施肥機の繰出部ケース
５３  点播式施肥機のカプセル固定体
５５  点播式施肥機の繰出駆動軸
５６  点播式播種機の条止めクラッチ
５７  点播式施肥機の条止めクラッチ操作部
５９  点播式施肥機の非摺動側繰出ロール
６１  点播式施肥機の摺動側繰出ロール
６５  点播式施肥機の繰出量調節ギヤ
６６  点播式施肥機の繰出量調節駆動ギヤ
６８  点播式施肥機の仕切りガイド板
７７  点播式施肥機の入り口側開口部
【図１】
2018134044.tif 000003
【図２】
2018134044.tif 000004
【図３】
2018134044.tif 000005
【図４】
2018134044.tif 000006
【図５】
2018134044.tif 000007
【図６】
2018134044.tif 000008
【図７】
2018134044.tif 000009
【図８】
2018134044.tif 000010
【図９】
2018134044.tif 000011
【図１０】
2018134044.tif 000012
【図１１】
2018134044.tif 000013
【図１２】
2018134044.tif 000014
【図１３】
2018134044.tif 000015
【図１４】
2018134044.tif 000016
【図１５】
2018134044.tif 000017
【図１６】
2018134044.tif 000018
【図１７】
2018134044.tif 000019
【図１８】
2018134044.tif 000020